(57)【要約】      （修正有）【課題】消費者の手に届く前に、活性成分がその有効性または活性を失わない、または著しく失わないように、活性成分と溶媒とを分けることができる包装済みのマスク、および／または使用の前に活性成分がすでに混合されたかを決定するための方法を提供する。【解決手段】美容配置を提供可能であり、それは、美容活性成分を封入できる第１構造と、溶媒溶液を封入できる第２構造と、美容活性成分から溶媒溶液を分けることができる第３構造と、美容活性成分と溶媒溶液との混合物を吸収するように構成可能な媒体３６４と、美容活性成分と溶媒溶液とが互いに接触したかどうかを示すように構成可能なインジケーター構造と、を含むことができる。配置の部分への特定量の圧力の適用により、美容活性成分と溶媒溶液とが、互いに直接接触するようにさせることができる。【選択図】図１０
2020015556.tif 000002
【特許請求の範囲】
【請求項１】
配置であって、第１構造を備え、第１構造は、
少なくとも１つの第１成分を含んでいる第２剛構造と、
少なくとも１つの第２成分と、
少なくとも１つの第１成分と少なくとも１つの第２成分との混合物を吸収するように構成された媒体と、を含み、
第２剛構造が開くことまたは壊れることにより、少なくとも１つの第１成分と少なくとも１つの第２成分とが、互いに接触する、配置。
【請求項２】
請求項１の配置であって、少なくとも１つの第１成分は、美容活性成分であり、少なくとも１つの第２成分は、溶媒溶液である、配置。
【請求項３】
請求項１の配置であって、少なくとも１つの第１成分は、溶媒溶液であり、少なくとも１つの第２成分は、美容活性成分である、配置。
【請求項４】
請求項１の配置であって、第２剛構造は、少なくとも１つの弱化部を含む、配置。
【請求項５】
請求項４の配置であって、第２剛構造は、少なくとも１つの弱化部で壊れるように構成されている、配置。
【請求項６】
請求項１の配置であって、第１構造は、インジケーター構造を含み、インジケーター構造は、少なくとも１つの第１成分と少なくとも１つの第２成分とが互いに接触したかどうかを示すように構成されており、インジケーター構造の少なくとも一部は、第１構造の外部から見える、配置。
【請求項７】
請求項１の配置であって、媒体は、皮膚に適用されるように構成されているマスクを含む、配置。
【請求項８】
請求項１の配置であって、媒体は、顔に適用されるように構成されているフェースマスクを含む、配置。
【請求項９】
請求項１の配置であって、少なくとも１つの第１成分は、抗酸化物質を含む、配置。
【請求項１０】
請求項１の配置であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、配置。
【請求項１１】
請求項１の配置であって、少なくとも１つの第２成分は、水溶液であり、少なくとも１つの第１成分は、水溶性である、配置。
【請求項１２】
請求項１の配置であって、少なくとも１つの第２成分は、脂質溶液であり、少なくとも１つの第１成分は、脂溶性である、配置。
【請求項１３】
配置であって、剛構造と、壁と、を備え、
剛構造は、少なくとも１つの第１成分を保つように構成されている第１コンパートメントと、少なくとも１つの第２成分を保つように構成されている第２コンパートメントと、を有し、
壁は、第１コンパートメントを第２コンパートメントから分け、壁に加えられる第１の量の圧力を加えることにより、壊れるように構成され、
第１コンパートメントまたは第１コンパートメントの少なくとも１つは、弱化部を含み、弱化部は、弱化部に加えられる第２の量の圧力を加えることにより、壊れるように構成され、
壁が壊れることにより、少なくとも１つの第１成分と少なくとも１つの第２成分とが、互いに混ざり、
弱化部が壊れることにより、少なくとも１つの第１成分と少なくとも１つの第２成分との混合物が、外部から利用できる、配置。
【請求項１４】
配置であって、
少なくとも１つの美容活性成分を含んでいる第１構造と、
溶媒溶液を含んでいる第２構造と、
溶媒溶液を少なくとも１つの美容活性成分から分ける少なくとも１つの第３構造と、
少なくとも１つの美容活性成分と溶媒溶液との混合物を吸収するように構成されている媒体と、
少なくとも１つの美容活性成分と溶媒溶液とが互いに接触したかどうかを示すように構成されているインジケーター構造と、を備え、
配置の少なくとも一部に特定量の圧力を加えることにより、少なくとも１つの美容活性成分と溶媒溶液とが、互いに接触する、配置。
【請求項１５】
請求項１４の配置であって、第１構造と、第２構造と、第３構造と、は、単一の一体構造を形成し、第３構造は、第１構造と第２構造の間に設けられる、配置。
【請求項１６】
請求項１５の配置であって、第１構造または第２構造の少なくとも１つに加えられる圧力は、少なくとも１つの第３構造を破れさせ、少なくとも１つの美容活性成分を溶媒溶液にさらし、少なくとも１つの美容活性成分を溶媒溶液と混ぜるようになっている、配置。
【請求項１７】
請求項１４の配置であって、
第２構造は、第１構造内に含まれており、
第２構造は、少なくとも１つの第３構造をさらに含み、第２構造に圧力を加えることにより、少なくとも１つの第３構造は、破れ、溶媒溶液を第２構造から放出させて第１構造の少なくとも１つの美容活性成分と接触させる、配置。
【請求項１８】
請求項１４の配置であって、第２構造に加えられる圧力の特定量は、ほぼ０．２ｌｂｓ．〜ほぼ１５ｌｂｓ．である、配置。
【請求項１９】
請求項１４の配置であって、媒体は、少なくとも１つの第３構造が破れた後に、少なくとも１つの美容活性成分と溶媒溶液との混合物を吸収するように構成されている、配置。
【請求項２０】
請求項１４の配置であって、第１構造は、インジケーター構造を含み、インジケーター構造の少なくとも一部は、第１構造の外部から見える、配置。
【請求項２１】
請求項１４の配置であって、媒体は、皮膚に適用されるように構成されているマスクを含む、配置。
【請求項２２】
請求項２１の配置であって、マスクはフェースマスクである、配置。
【請求項２３】
請求項１４の配置であって、インジケーター構造は、ｐＨ剤を含み、ｐＨ剤は、少なくとも１つの美容活性成分と溶媒溶液とに関連し、少なくとも１つの美容活性成分と溶媒溶液とが互いに接触するときに、ｐＨ剤が色を変えるように構成されている、配置。
【請求項２４】
請求項１４の配置であって、インジケーター構造は、毒性のない無害な薬剤を含み、薬剤は、少なくとも１つの美容活性成分と溶媒溶液との混合物にその接触によって反応するように構成され、少なくとも１つの美容活性成分と溶媒溶液とが混ぜられたという表示を生じさせる、配置。
【請求項２５】
請求項１４の配置であって、透明な窓領域を第１構造に備え、透明な窓領域は、第１構造の内部空間を外部から見やすくする、配置。
【請求項２６】
請求項１４の配置であって、第１構造は、ほぼ不透明であり、少なくとも１つの美容活性成分と溶媒溶液とに対する露光を防止または露光量を減少させる、配置。
【請求項２７】
請求項１４の配置であって、少なくとも１つの美容活性成分は、抗酸化物質を含む、配置。
【請求項２８】
請求項１４の配置であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、配置。
【請求項２９】
請求項１４の配置であって、
溶媒溶液は、水溶液であり、
少なくとも１つの美容活性成分は、水溶性である、
配置。
【請求項３０】
請求項１４の配置であって、
溶媒溶液は、脂質溶液であり、
少なくとも１つの美容活性成分は、脂溶性である、
配置。
【請求項３１】
使用者の皮膚に美容製品を適用する方法であって、
少なくとも１つの美容活性成分を含んでいる第１構造と、少なくとも１つの美容活性成分と溶媒溶液との混合物を吸収するように構成されている媒体と、
第１構造内に含まれ、溶媒溶液を含んでいる、第２構造と、
溶媒溶液を少なくとも１つの美容活性成分から分ける少なくとも１つの第３構造と、少なくとも１つの美容活性成分と溶媒溶液とが互いに接触したかどうかを示すように構成されているインジケーター構造と、
を有する配置を提供することと、
溶媒溶液を少なくとも１つの美容活性成分にさらすように、第２構造が少なくとも１つの第３構造を破れさせるように、第２構造の少なくとも一部に特定量の圧力を加えることと、
第１構造を開けることと、
媒体を第１構造から取り出すことと、
媒体を皮膚に適用することと、
を含む方法。
【請求項３２】
請求項３１の方法であって、第１構造を、それを開ける前に、振ることを、さらに含み、少なくとも１つの美容活性成分と溶媒溶液とを混ぜ、少なくとも１つの美容活性成分と溶媒溶液との混合物の媒体による吸収もたらす、方法。
【請求項３３】
請求項３１の方法であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、およびイソフラボン、を含む、方法。
【請求項３４】
請求項３１の方法であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、方法。
【請求項３５】
請求項３１の方法であって、
溶媒溶液は、水溶液であり、
少なくとも１つの美容活性成分は、水溶性である、
方法。
【請求項３６】
請求項３１の方法であって、
溶媒溶液は、脂質溶液であり、
少なくとも１つの美容活性成分は、脂溶性である、
方法。
【請求項３７】
配置であって、
少なくとも１つの美容活性成分を含んでいる第１構造と、
溶媒溶液を含んでいる第２構造と、
少なくとも１つの美容活性成分と溶媒溶液との混合物を吸収するように構成されている媒体と、
少なくとも１つの美容活性成分と溶媒溶液とが互いに接触したかどうかを示すように構成されているインジケーター構造と、
を備え、
第１構造と第２構造とのそれぞれの少なくとも一部へ特定量の圧力を加えることにより、少なくとも１つの美容活性成分と溶媒溶液とが、互いに直接接触する、配置。
【請求項３８】
使用者の皮膚に美容製品を適用する方法であって、
少なくとも１つの第１成分を含んでいる第２剛構造と、
少なくとも１つの第２成分と、
少なくとも１つの第１成分と少なくとも１つの第２成分との混合物を吸収するように構成されている媒体と、を含んでいる第１構造を有する配置を提供することと、
少なくとも１つの第１成分と少なくとも１つの第２成分とが互いに接触するように、第２剛構造の少なくとも一部に特定量の圧力を加えることと、を含む方法。
【請求項３９】
請求項３８の方法であって、第１構造を振ることをさらに含み、少なくとも１つの第１成分と少なくとも１つの第２成分とを混ぜ、少なくとも１つの第１成分と少なくとも１つの第２成分との混合物の媒体による吸収もたらす、方法。
【請求項４０】
請求項３９の方法であって、第１構造を開けることと、使用者の皮膚に適用することと、をさらに含む方法。
【請求項４１】
請求項３８の方法であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、およびイソフラボンを含む、方法。
【請求項４２】
請求項３８の方法であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、方法。
【請求項４３】
請求項３８の方法であって、
少なくとも１つの第２成分は、水溶液であり、
少なくとも１つの第１成分は、水溶性である、
方法。
【請求項４４】
請求項３８の方法であって、
少なくとも１つの第２成分は、脂質溶液であり、
少なくとも１つの第１成分は、脂溶性である、
方法。
【請求項４５】
請求項３８の方法であって、
少なくとも１つの第１成分は、水溶液であり、
少なくとも１つの第２成分は、水溶性である、
方法。
【請求項４６】
請求項３８の方法であって、
少なくとも１つの第１成分は、脂質溶液であり、
少なくとも１つの第２成分は、脂溶性である、
方法。
【発明の詳細な説明】
【技術分野】
【０００１】
関連出願への相互参照
本願は、米国仮特許出願第６１／８４２，１４４号（２０１３年７月２日出願）および第６２／０１０，０４４号（２０１４年６月１０日出願）に関するものであってそれらの優先権を主張し、それらの開示全体が、参照することにより本明細書に援用される。
【０００２】
本開示は、概して、スキンケアまたは美容成分に関する。具体的には、パッケージ配置を通じてスキンケア成分を提供できる配置、器具および方法の例示的実施形態に関し、パッケージ配置は、例えばスキンケア関連成分などの活性および／または非活性成分を保管できる破裂可能および／または破断可能コンパートメントを含むことができる。
【背景技術】
【０００３】
美容マスクなどの美容製品は、顔、首および胸などの皮膚にさまざまな健康および美容効果をもたらすために広く使用され得る。
【０００４】
従来、マスクは、マスクにすでに予め配置されたさまざまな活性成分（例えば、緑茶抽出物、ビタミンＡ、ビタミンＣ、ビタミンＥ、レスベラトロール、Ｑ１０、および／または他の同様な成分）を含んで包装袋で市販可能である。例えば、従来、マスクは、さまざまな活性成分（例えば溶質）を含む液体混合物（例えば溶媒）にすでに浸されて一般に包装可能である。そのようなマスクを使用するために、使用者は、パッケージを開け、液体混合物にすでに予め浸されたマスクを取り出し、パッケージの指示に従って体のさまざまな部分に適用する。
【発明の概要】
【発明が解決しようとする課題】
【０００５】
液体混合物に溶解している活性成分は、マスクを用いて皮膚に送られ、一定の所望の効果を達成する。しかしながら、これらの従来の、および現在設計されている包装済みのマスクは、皮膚に活性美容成分を、もたらさない、またはほとんどもたらさない。これは、溶液に溶解し得る活性成分が、不安定になり、短期間（例えば数週間）にわたってその活性を急速に失い得るからである。例えば、溶液に溶解し、密閉した暗い容器に保管された、ビタミンＣ（例えばＬ‐アスコルビン酸）およびビタミンＥ（例えばトコフェロール）は、それぞれ、ほんの６０日後にその初期活性の７２％および３５％近くを失う。この損失を示す例示的な結果は、表１に見ることができる。結果として、マスクの活性成分は、包装済みのマスクが消費者の手に届く頃には、有効性がほとんどもしくは全くない。成分が溶解するのと、使用者がマスクを適用するときとの間の時間が数週間から数ヶ月かかるからである。有効性のこの減少は、包装済みのマスクが長時間商品棚に置かれる、または購入時に使用者によってすぐに使用されないかもしれない場合に、さらに悪化し得る。
【０００６】
従って、消費者の手に届く前に、活性成分がその有効性または活性を失わない、または著しく失わないように、活性成分と溶媒とを分けることができる包装済みのマスク、および／または使用の前に活性成分がすでに混合されたかを決定するための方法が、必要である。
【課題を解決するための手段】
【０００７】
本開示の例示的実施形態のこれらのおよび他の目的は、パッケージ配置を通じてスキンケア成分を提供可能な例示的な配置、器具および方法を提供することによって達成可能である。
【０００８】
本開示の例示的実施形態によると、美容配置を提供可能であり、それは、美容活性成分を封入できる第１構造と、溶媒溶液を封入できる第２構造と、美容活性成分から溶媒溶液を分けることができる第３構造と、美容活性成分と溶媒溶液との混合物を吸収するように構成可能な媒体と、美容活性成分と溶媒溶液とが互いに直接接触したかどうかを示すように構成可能なインジケーター構造と、を含むことができる。配置の部分への特定量の圧力の適用により、美容活性成分と溶媒溶液とが、互いに直接接触するようにさせることができる。
【０００９】
第１、第２および第３構造は、単一の一体構造を形成でき、第３構造は、第１構造と第２構造の間に設けられる。圧力は、第１構造または第２構造に対して適用されることができ、美容活性成分を溶媒溶液にさらすように第３構造を破裂させ、活性成分を溶媒溶液と混ぜ合わせることができる。第１構造は、インジケーター構造を含むことができ、インジケーター構造の位置は、第１構造の外側から目に見える。
【００１０】
本開示のいくつかの例示的実施形態では、第２構造は、第１構造内に含まれることができ、第２構造は、第３構造をさらに備えることができ、第２構造に対する圧力の適用により、第３構造は破裂し、それによって、溶媒溶液を第２構造から放出させ、第１構造の美容成分と直接接触させる。第２構造に適用される圧力の量は、ほぼ０．２ｌｂｓ．〜ほぼ５ｌｂｓ．であってよい。媒体は、第３配置が破裂できた後、美容活性成分の混合物を吸収できる。
【００１１】
例示的な媒体は、皮膚に適用されるように構成可能なマスクを含んでよい。例示的な媒体は、顔に適用されるように構成可能なフェースマスクを含んでよい。
【００１２】
例示的なインジケーター構造は、ｐＨ剤を備えることができ、ｐＨ剤は、美容活性成分と溶媒溶液とに関連し得る。美容活性成分および溶媒溶液が互いに直接接触するとき、ｐＨ剤は、色を変えることができる。本開示のいくつかの例示的実施形態では、例示的なインジケーター構造は、毒性のない無害な薬剤を含むことができ、薬剤は、美容活性成分と溶媒溶液との混合物とその接触により反応でき、美容活性成分と溶媒溶液とが混ぜ合わせられたという表示を生じさせることができる。
【００１３】
例示的な配置は、透明な窓領域を第１構造にさらに含んでよく、それは、第１構造の内部空間の外観を促進できる。第１構造は、実質的に不透明であってよく、美容活性成分および溶媒溶液に対する露光を防止または露光量を減少させる。
【００１４】
本開示のある例示的実施形態では、例示的な美容活性成分は、抗酸化物質を含んでよい。美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、イソフラボン等であってよい。溶媒溶液は、水溶液であってよく、美容活性成分は、水溶性（例えば水溶性抗酸化物質）であってよい。本開示のいくつかの例示的実施形態では、溶媒溶液は、脂質溶液であってよく、美容活性成分は、脂溶性（例えば脂溶性抗酸化物質）であってよい。
【００１５】
使用者の皮膚に美容製品を適用する例示的な方法によると、方法は、美容活性成分を封入できる第１構造と、美容活性成分と溶媒溶液との混合物を吸収するように構成可能な媒体と、第１構造内に含まれることができ、溶媒溶液を封入できる、第２構造と、美容活性成分から溶媒溶液を分けることができる第３構造と、美容活性成分と溶媒溶液とが互いに直接接触したかどうかを示すように構成可能なインジケーター構造と、を有する配置を提供することを、含むことができる。方法は、溶媒溶液を美容活性成分にさらすように第２構造が第３構造を破裂させるように、第２構造の部分に対して特定量の圧力を適用することと、第１構造を開けることと、第１構造から媒体を取り出すことと、媒体を皮膚に適用することと、をさらに含むことができる。
【００１６】
例示的な方法は、第１構造がその開封前に振られることを容易にして、美容活性成分と溶媒溶液との混合と、媒体による美容活性成分と溶媒溶液との混合物の吸収と、を促進することをさらに含むことができる。美容活性成分は、活性美容成分（例えば抗酸化物質）を含んでよい。化粧品活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、イソフラボン等であってよい。
【００１７】
溶媒溶液は、水溶液であることができ、美容活性成分は、水溶性（例えば水溶性抗酸化物質）であってよい。溶媒溶液は、脂質溶液であってよく、美容活性成分は、脂溶性（例えば脂溶性抗酸化物質）であってよい。本開示のある例示的実施形態では、溶媒溶液は、乳化剤を含むことができる水性溶液であってよく、乳化剤は、水溶性および脂溶性活性美容成分（例えば抗酸化物質）の両方を溶解させることができる。
【００１８】
本開示のさらなる例示的実施形態によると、配置は、美容活性成分を封入できる第１構造と、溶媒溶液を封入できる第２構造と、美容活性成分と溶媒溶液との混合物を吸収するように構成可能な媒体と、美容活性成分と溶媒溶液とが互いに直接接触したかどうかを示すように構成可能なインジケーター構造と、を含むことができる。第１構造および第２構造のそれぞれの部分への特定量の圧力の適用により、美容活性成分と溶媒溶液とが、互いに直接接触するようにさせることができる。
【００１９】
使用者の皮膚に美容製品を適用する方法によると、方法は、例えば、（ｉ）第１成分を封入する第２剛構造、（ｉｉ）第２成分、および（ｉｉｉ）第１成分と第２成分との混合物を吸収するように構成された媒体、を封入する第１構造を有する配置を、提供することを含むことができる。特定量の圧力が第２剛構造の部分に対して適用されることができ、第１成分と１つの第２成分とが、互いに接触するようにさせることができる。第１構造は開けることができ、その後媒体を皮膚（例えば使用者の顔）に適用できる。
【００２０】
本開示のいくつかの例示的実施形態では、第１構造は振られることができ、第１成分と第２成分とを混合し、媒体による第１成分と第２成分との混合物の吸収をもたらす。第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、およびイソフラボンを含んでよい。
【００２１】
本開示のある例示的実施形態では、第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボンであってよい。第２成分は水溶液であってよく、第１成分は水溶性であってよい。本開示のいくつかの例示的実施形態では、第２成分は脂質溶液であってよく、第１成分は脂溶性であってよい。本開示のある例示的実施形態では、第１成分は水溶液であってよく、第２成分は水溶性であってよい。本開示のある例示的実施形態では、第１成分は脂質溶液であってよく、第２成分は脂溶性であってよい。
【００２２】
本開示の例示的実施形態のこれらのおよび他の目的、特徴および利点は、添付の例示的請求項と共に、本開示の例示的実施形態の以下の詳細な説明を読むことにより、明らかになる。
【００２３】
本開示のさらなる目的、特徴および利点は、本開示の例示的実施形態を示す添付図面と合わせられる以下の詳細な説明から、明らかになる。
【図面の簡単な説明】
【００２４】
【図１】本開示の例示的実施形態による、パッケージ構造（例えば成分を含む）、媒体、および破裂可能な構造を含むことができる例示的な美容配置の図である。
【図２Ａ】本開示の例示的実施形態による、未開封状態の例示的なパッケージ構造の図である。
【図２Ｂ】本開示の例示的実施形態による、開かれた後の例示的なパッケージ構造の図である。
【図２Ｃ】本開示の例示的実施形態による、例示的なインジケーターを含む例示的なパッケージ構造の図である。
【図３】本開示の例示的実施形態による、例示的な媒体の図である。
【図４】本開示の例示的実施形態による、例示的な破裂可能な構造の図である。
【図５】本開示の例示的実施形態による、例示的な美容配置を用いるための例示的な方法を示す例示的なフローダイヤグラムである。
【図６】本開示の例示的実施形態による、例示的な破裂可能な構造の例示的な実施形態の図である。
【図７】本開示の例示的実施形態による、例示的な破裂可能な構造のさらなる例示的な実施形態の図である。
【図８Ａ】本開示の例示的実施形態による、例示的な容器の例示的実施形態の図である。
【図８Ｂ】本開示の例示的実施形態による、図８Ａの例示的な容器の例示的実施形態のさらなる図である。
【図８Ｃ】本開示の例示的実施形態による、プラスチック容器を折るために保持されている図８Ａに示されている例示的な容器のよりさらなる図である。
【図９】本開示の例示的実施形態による、なおさらなる例示的な容器の図である。
【図１０】本開示の例示的実施形態による、パッケージ構造（例えば成分を含む）、媒体、および破壊可能な容器を含むことができる例示的な美容配置の図である。
【図１１】本開示の例示的実施形態による、さらなる破壊可能な容器の図である。
【発明を実施するための形態】
【００２５】
特に明記しない限り、図にわたって同じ参照符号およびキャラクターが、示されている実施形態の同種の特徴、要素、部品、または部分を表すのに使用される。その上、本開示は、図に関してこれから詳述されるが、それは、例示的実施形態に関連してそうされ、図または添付の請求項に示されている特定の例示的実施形態に限定されない。
【００２６】
本開示の例示的実施形態による配置、器具および方法は、以下の説明および関連する添付図面を参照してさらに理解することができる。当業者は、本開示の例示的実施形態が他の種類の美容配置で実行できることを理解するが、例示的実施形態による配置、器具および方法は、美容フェースマスク配置と、美容フェースマスク配置を適用する方法と、に関して記述される。
【００２７】
本明細書に記載される、本開示の例示的実施形態による例示的な配置は、美容配置１１０を含むことができ、それは、例えば、消費者の手に届く前に著しく劣化しない活性成分の安定した濃度を含むことができる。
【００２８】
例示的な美容配置１１０は、１つ以上の溶質および１つ以上の溶媒を含んでよく、それは、別に包装できる、および／または使用者によって美容配置１１０の使用の前に混ぜられることができる。本明細書にさらに詳しく記載されているように、溶媒溶液は、例えばパッケージ構造１１２内のパウチ１１４などの、例示的な破裂可能な構造に提供および包含されてよく、パッケージ構造１１２は、溶媒を含んでよい。使用の前に、使用者は、パウチ１１４を破ることができ、パッケージ構造１１２内の溶媒と混合させる。例えば、特定量の圧力でパウチを圧迫することによってである。パウチは、他の方法によって破るまたは引き裂くこともできる。これは、使用者または他の者によって使用される前に、溶質（例えば美容活性成分）の著しい劣化を防ぐことができる。例示的な美容配置１１０の追加の例示的な詳細が、本明細書にさらに詳述される。
【００２９】
溶質は、美容活性成分、または美容活性成分の混合物であってよい。そのような美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、イソフラボン等を含むことができるが、それらに限定されない。追加的に、例示的な美容成分は、任意の適切なアンチエイジング成分、または任意の適切な抗酸化物質を含んでよい。例示的な溶質は、粉末の形態、溶液、１つ以上の固体ペレット、または任意の他の適切な形態であってよい。例えば、溶質は、粉末、または固体ペレットの形態であってよい。組成がより不活性であることができ、その安定性を溶液よりも良好に保つことができるものとして、である。溶媒は、活性成分の溶解度に応じて、水または油などの水性または脂質溶液であってよい。例えば、活性成分がビタミンＥであり得るならば、ビタミンＥは脂溶性であり得るので、溶媒は油性であり得る。他の種類の溶媒が使用できることは、好ましい。
【００３０】
美容配置１１０内で溶媒および溶質溶液を含む液体の平均体積は、約５ミリリットル〜約４０ミリリットルであってよい。例えば、いくつかの構成では、溶媒および溶質溶液を含む液体の平均体積は、約１０ミリリットル〜約１５ミリリットルであってよい。しかしながら、美容配置１１０内で溶媒および溶質溶液を含む液体の他の適切な体積が用いられてよい。
【００３１】
例示的なパッケージ構造１１２は、図２Ａおよび２Ｂにも示されているように、例えば、単一のパネルで作ることができ、それは、折り返し縁１１８を形成するようにＣ折りでき、パッケージ構造１１２の中に内部空間を形成するように残りの縁１２０に沿ってシールできる。代替的にまたは加えて、パッケージ構造１１２は、２つのパネルで作ることができ、それは、内部空間を形成するように縁の全てに沿って合わせてシールできる。例示的なパッケージ構造１１２は、その内部空間内にパウチ１１４と媒体１１６の両方を入れるのに足りるほど十分大きくあり得る。
【００３２】
パッケージ構造１１２は、分離配置を含むことができ、それは、パッケージ構造の少なくとも１つの縁（例えば折り返し縁１１８と反対側の上縁）に近接してより容易に取り外し可能であってよい（例えば弱線（１１９））。代替的に、分離配置は、パッケージ構造１１２の他の縁１２０に近接して位置し得る。分離配置は、ミシン目であってよく、それは、少なくとも１つの縁１２０に近接して配置されてよく、そのような縁１２０に沿って延びてよい。他の例示的構成では、弱線１２２は、縁１２０の少なくとも１つの小さいスリットであってよく、それは、内側に延びることができるが、内部空間に延びないかもしれない。図２Ｂに示されているように、ミシン目、小さいスリット、または同種のものを含み得る分離配置は、使用者が、シール袋を破って開け、内部空間内の中身（例えばパウチ１１４および媒体１１６）を取り出すための開始点の役割を果たし得る。
【００３３】
パッケージ構造１１２は、美容活性成分も含むことができ、それは、溶媒とは別に包装できる。これは、パッケージ構造１１２内の媒体１１６が、美容活性成分にさらされるようにするが、溶媒溶液にではない。パッケージ構造１１２は、実質的に不透明であってよく、それは、美容活性成分および溶媒溶液の露光を防止または著しく減少できる。これは、美容活性成分が使用前に著しく劣化するのを防ぐことができる。
【００３４】
図１に関し、美容配置１１０は、例示的な媒体１１６（例えば、マスク）も含むことができ、それは、さまざまな美容活性成分の運搬手段の役割をすることができる。例示的な媒体１１６は、紙、綿織物、セルロースおよび／またはハイドロゲルなどの材料で作られてよく、それは、美容活性成分と溶媒溶液との混合物を吸収し、この混合物を人の皮膚に運ぶように、構成可能である。上記のように、美容活性成分および媒体１１６は、どちらもパッケージ構造１１２に含まれてよい。ある例示的構成では、美容活性成分は、粉末形状などで包装されてよく、例示的な媒体１１６がパッケージ構造に提供される。他の例示的構成では、媒体１１６は、製造プロセス中または媒体１１６の包装中に媒体材料に注入または吸収された美容活性成分をすでに有してよく、パッケージ構造１１２内に美容活性成分の粉状の粒子がほとんどもしくは全くなくなり得るようになっている。
【００３５】
媒体１１６は、例えば、図１および３に示されているように、フェースマスクである、または、を含む、ことができる。他の例示的構成では、例示的な媒体１１６は、体の他の部分（例えば、首、脚、胸等）への使用または適用を目的とするアプリケーターまたはマスククである、または、を含む、ことができる、または布または任意の他の適切な輸送手段であってよい。
【００３６】
図４に関し、美容配置１１０は、パウチ１１４をさらに含むことができ、パウチ１１４は、例示的な溶媒溶液を保管するように構成可能である。パウチ１１４は、最初にパッケージ構造１１２を開かずに開けることができる破裂可能なパウチであってよく、それは以下でさらに詳しく記載される。
【００３７】
例えば、パウチ１１４は、単一または多層フレキシブルプラスチックフィルムで作られてよく、それは、パウチ１１４の縁に近接してまたは沿って合わせてシールされてよく、例えば、溶媒溶液を含むことができる内部領域１２２を形成するようになっている。ある例示的な非限定的構成では、パウチ１１４は、２層の軟質フィルムで作られてよい。外層は、例えば、４８ゲージの被覆ポリエステルフィルムであってよく、内層は、例えば、３ｍポリエチレンフィルムであってよい。他の適切なフィルムゲージで他の種類の適切なフィルムが使用できることは、好ましい。
【００３８】
パウチ１１４の少なくとも１つの縁は、破裂または脆弱シール１２４を有してよく、残りの縁１２６は、合わせて熱的に閉じられ得るまたは熱シールされ得る。脆弱シール１２４は、高いバリア性シーラントを含む接着剤であってよい。脆弱シール１２４は、美容配置１１０の通常の出荷、保管、取扱の間に強い耐圧性および耐力性を提供するように十分丈夫であることができ、脆弱シール１２４の不測の破裂を防ぐようになっている。同時に、脆弱シール１２４は、例えば、シールを裂いてパウチ１１４から溶媒溶液を放出する意図で加えられた圧力に降伏してよい。いくつかの例示的構成では、脆弱シール１２４が裂けるように加えられる圧力の量は、ほぼ０．２ｌｂｓ．〜ほぼ１５ｌｂｓ．の範囲であってよい。例えば、いくつかの構成では、脆弱シール１２４が裂けるように加えられる圧力の量は、ほぼ１１．５ｌｂｓ．であってよい。熱シールされた縁１２６は、脆弱シール１２４よりも、力および圧力に対して高い閾値、および互いに強い結合を、有することができ、脆弱シール１２４が使用者によって裂かれ得るときに熱シールされた縁１２６が裂けないようになっている。
【００３９】
溶媒を含んでいるパウチ１１４を開けるために、十分な圧力がパウチ１１４に加えられ得る。使用者は、例えば、パウチ１１４を彼／彼女の指の間に保持し、彼／彼女の指を共にパウチ１１４に圧迫することによって、十分な圧力を生成できる。圧力がパウチ１１４に加えられ得る際に、溶媒溶液および封入空気（もしあれば）は、脆弱シール１２４に対する溶媒溶液および封入空気（もしあれば）の力によって脆弱シール１２４が裂けるまで、脆弱シール１２４を含むシールされた縁１２２に対して押され得る。残りのシールされた縁は、フリンジシール１２４のそれよりも強い仕方で結合／シールされてよく、それらが元の状態のままであるようになっている。
【００４０】
ある例示的構成では、パッケージ構造１１２は、パッケージ構造１１２の外面に少なくとも１つのインジケーター１２８を含んでよく、それは、図２Ｃに示されているインジケーターのように購入者に見えやすくしてよい。例示的なインジケーター１２８は、パウチ１１４からの液体／流体／粉漏れ、または溶媒溶液との活性成分の早まった混合を、検出するように構成可能である。そのような例示的なインジケーター１２８は、製品を購入および／または使用する前に製品が欠陥の場合は、使用者に知らせることができる。本開示のいくつかの例示的構成では、インジケーター１２８は、溶媒溶液との活性成分の混合を通じて検出し、美容配置１１０が使える状態であることを使用者にシグナルを送るようにも構成可能である。さらに他の例示的構成では、インジケーター１２８は、パウチ１１４からの液体／流体／粉漏れと、活性成分と溶媒溶液との十分な混合と、の両方を検出できる。
【００４１】
本開示のいくつかの例示的構成では、インジケーター１２８は、毒性のない無害な環境に優しい薬剤であってよく、薬剤は、パウチ１１４内の例示的な溶媒溶液に反応できる。他の例示的構成では、インジケーター１２８は、ｐＨインジケーターストリップである、または、を含む、ことができ、それは、活性成分が溶媒溶液と混ざるときに色を変えることができる。例えば、ビタミンＣが溶媒溶液と混ぜられ得るときに、ｐＨインジケーターストリップ（例えばインジケーター１２８）は、青などに色を変えることができ、ビタミンＣが溶媒溶液と混ぜられたことを示す。
【００４２】
代替的にまたは加えて、窓領域は、インジケーターシステム／インジケーター１２８の一部として使用されてよい。パッケージ構造１１２は、いくつかの例示的構成では、透明材料の窓領域を含んでよく、それは、使用者にパッケージ構造１１２の内部空間を見やすくできる。窓領域は、溶媒の露光過多を防ぐ程度に小さくてよいが、使用者がパッケージ構造１１２の内部空間を見やすい程度に大きくてよい。使用者は、パウチ１１４が早まって壊れたかどうかを決めるために窓領域を使用できる、または、使用者は、活性成分が溶媒溶液と混ぜ合わせられたかどうかを決めるために窓領域を使用できる。いくつかの例示的構成では、ｐＨ指示剤は、美容活性成分と溶媒溶液の結果として生じる混合物が色を変えるようにでき、色のこの変化は、窓領域を通じてユーザーが見ることができる。さらなる例示的構成では、媒体１１６自体がｐＨ指示剤を含んでよく、媒体１１６は、それが美容活性成分と溶媒溶液との混合物で覆われたときに、色を変えることができる。ｐＨ指示剤は、美容活性成分内で混ぜられる粉末形状であってよく、または他の例示的構成では、ｐＨ指示剤は、窓領域を通して見ることができるｐＨストリップであってよい。他の適切なインジケーターおよびインジケーターシステムも使用できる。
【００４３】
図５は、美容配置１１０を使用するための例示的方法を示す。最初に、インジケーター１２８が提供されると、使用者は、インジケーター１２８をチェックでき、パウチ１１４またはプラスチック容器（例えば、図８Ａによるスティック３５０）が漏れていなかったかを確認する（例えば手順２００）。パッケージ構造１１２を開ける前に、使用者は、パウチ１１４の破裂、またはプラスチック容器（例えばスティック３５０）の破壊を生じさせ、溶媒溶液をパッケージ構造１１２に放出する（例えば手順２０２）。使用者は、パウチ１１４を２つの指の間に保持し、指を共にパウチ１１４に対して押すことによって、パウチ１１４を破裂させることができる。パウチ１１４を破裂させる他の適切な方法も、適用できる。例えば、パウチ１１４は、使用者の手のひらで圧迫されてよい。圧力を加えることができるので、溶媒溶液および封入空気は、脆弱シール１２４が壊れるまで、脆弱シール１２４を圧迫できる。代替的に、使用者は、容器（例えばスティック３５０）を割ることができる。例えば、使用者は、それぞれの手にスティック３５０の各端部を保持でき、選択的に使用者の親指を容器の目打ち線の周りに置くことができ、容器を壊す。使用者は、次いで選択的に目打ちされたまたは弱化領域でスティックを折ることができる。使用者は、次いで美容活性成分を溶媒溶液と混ぜることができ、活性成分が溶媒に十分溶解できるようになっている（例えば手順２０４）。混合は、例えばパッケージ構造１１２を振ることによって、行われ得る。美容成分と溶媒溶液との美容混合物は、次いで、パッケージ構造１１２に含まれ得る媒体１１６によって吸収されることができる（例えば手順２０４）。使用者は、パッケージ構造１１２を振ること、または、パッケージ構造１１２、媒体１１６、および美容活性成分と溶媒溶液との混合物を、例えば使用者の指および／または手で、もむことによって、媒体１１６の吸収を促進できる。インジケーター１２８が提供されると、使用者は、インジケーターをチェックして、美容活性成分と溶媒溶液とが十分に混合したこと、および／または媒体１１６が十分に混合物を吸収したかどうかを、確認できる（例えば手順２０８）。使用者は、次いで、例えば分離配置で（設けられていれば）、パッケージ構造１１２を開けることができ（例えば手順２１０）、媒体１１６を使用者の皮膚に適用できる（例えば手順２１２）。
【００４４】
水へのビタミンＣ粉末の溶解の実験の例示的結果、およびフェースマスク媒体のビタミンＣ粉末の吸収率は、表２および表３に示されている。
【００４５】
本明細書に記載の美容配置１１０は、パウチ１１４内に含まれる溶媒溶液と、パッケージ構造１１２内に含まれる美容活性成分と、を有するが、選択的な例示的構成では、溶媒溶液は、パッケージ構造１１２内に含まれてよく、美容活性成分は、パウチ１１４内に含まれてよい。そのような例示的構成では、パウチ１１４は、美容活性成分と共に十分な封入空気を含んでよい。美容活性成分が粉末形状であってよく、圧力がパウチ１１４に加えられる際に、封入空気が脆弱シール１２４に押し付けられることができ、破裂を引き起こすようになっている場合は特にそうである。プラスチック容器の場合、プラスチック容器を壊すまたは折るために封入空気を要しない。
【００４６】
図６に示される本開示の化粧品配置の別の例示的実施形態によると、パウチ３１４は、少なくとも２つのコンパートメント３１６および３１８を含んでよく、その間に破断可能シール３２４を有する。パウチ３１４の外縁３２２は、合わせて熱的にシールされ得るまたは熱シールされ得る。例えば、一方のコンパートメント３１６は溶媒物質を含んでよく、他方のコンパートメント３１８は溶媒溶液を含んでよい。例示的な美容配置が使える状態であるとき、使用者は、コンパートメント３１６および３１８のどちらかに圧力を加えることができ、それらの間に位置する脆弱シール１２４が破裂して開く。一度破裂すると、溶媒は、溶媒溶液と混合でき、溶媒溶液に溶解できる。
【００４７】
他の例示的構成では、例えば、図７に示されているように、パウチ３１４は、コンパートメント３１６および３１８をそれらの間の熱シールされたシール３２６と共に含んでよく、少なくとも２つの脆弱シール３２４，３２４’は、コンパートメント３１６，３１８の外縁に位置してよい。残りの外縁３２２も、合わせて熱シールされ得る。例示的な美容配置が使える状態であるとき、使用者は、コンパートメント３１６および３１８に圧力を加えることができ、脆弱シール３２４および３２４’を破って開ける。溶媒および溶媒溶液は、それからパッケージ構造１１２に放出されてよく、それらは共に混ぜ合わされて媒体１１６に吸収されてよい。
【００４８】
代替的にまたは加えて、例えば、コンパートメント３１６および３１８を含んでいるパウチ３１４は、本明細書に記載されているパッケージ構造１１２および／または美容配置１１０から独立して使用できる。コンパートメントパウチ３１４は、媒体を必要としない他の種類の美容製品を保管するのに使用できる。例えば、コンパートメントパウチ３１４は、アンチエイジングローションなどのフェースまたはボディローションの、美容活性成分および溶媒溶液をそれぞれ保管するのに使用できる。本明細書に記載されている美容マスクと同様に、アンチエイジングローションの美容活性成分（例えば抗酸化物質）は、時間と共に劣化してその有効性を失うことがあり、従って上記で本明細書に記載されている２つのコンパートメントパウチが有効である。
【００４９】
本開示のさらに他の適切な構成では、パウチ１１４は、２より多いコンパートメントを有してよい。例えば、パウチ１１４は、３つ以上のコンパートメントを有してよく、脆弱シールをそれぞれのパウチ１１４の間におよび／またはパウチ１１４の外縁に含む。
【００５０】
例示的な美容配置の別の例示的実施形態によると、図８Ａおよび８Ｂに示されているように、例示的なパウチ１１４は、例示的な容器３５０（例えばプラスチックまたは別の適切な材料で作られている）であることができる。例示的なプラスチック容器３５０は、剛体、半剛体および／または堅くて曲がらないプラスチック材料で作られてよい。プラスチック容器材料は、ポリエチレン・テレフタレート・グリコール（“ＰＥＴＧ”）である、または、を含む、ことができる。プラスチック容器の長さは、約２インチ〜約１２インチの範囲であってよく、他の適切な長さが用いられ得るが、好ましい長さは約４〜６インチである。プラスチック容器の外径は、約０．２インチ〜約１．５インチの範囲であってよく、他の適切な径が用いられ得るが、好ましい径は約０．４４５〜約０．７４２インチであり、最も好ましい径は約０．５７２インチである。容器の厚さは、約０．０１〜約０．１インチの範囲であってよく、他の適切な厚さが用いられ得るが、好ましい厚さは約０．０２２インチである。プラスチック容器の内径は、約０．１８〜約１．４３インチの範囲であってよく、他の適切な径が用いられ得るが、好ましい径は約０．４〜約０．５３インチの範囲である。プラスチック容器の色は、透明、不透明および／または色付きであることができる。プラスチック容器は、溶媒で満たされた後に、充填される、熱シールされる、および／または蓋をかぶせられる、ことができる。
【００５１】
例示的なプラスチック容器３５０は、剛体、半剛体および／または堅くて曲がらないプラスチック材料で作ることができ、これは、使用者の手が届く前にプラスチック容器３５０の不測の破裂を低減できる。プラスチック容器３５０は、例えばプラスチック容器３５０がパウチよりも嵩高でないと有利であり得る。嵩高い構造は、棚の陳列または保管用の箱におけるパッケージ全体の密接または緊密な充填を妨げ得る。これは、剛体、半剛体および／または堅くて曲がらないプラスチック材料によって緩和され得る。
【００５２】
例示的なプラスチック容器３５０は、プラスチックチューブであることができ、いくつかの構成では、長方形またはロッドの形であることができる。プラスチック容器３５０が他の適切な形であってよいことは、好ましい。例示的なプラスチック容器３５０は、直線状の、予め切れ目を入れられた、例示的なミシン目３５２を含んでよく、それは、プラスチック容器３５０の両側の周囲にまたはそれを越えて位置してよい。例示的なミシン目３５２は、容器の中心線に、いくつかの構成ではミシン目３５２はプラスチック容器３５０の他の適切な位置に位置してよいが、あってよい。例示的なプラスチック容器３５０は、溶媒溶液が溶質と別に保持され得るように、溶媒溶液を含むように構成可能である。活性成分を溶媒溶液と混合するために、プラスチック容器３５０は、使用者によってミシン目３５２に沿って壊されるまたは折られることができる。いくつかの構成では、プラスチック容器３５０は、ミシン目３５２に沿って半分に壊されるまたは折られることができる。使用者は、プラスチック容器３５０の各端部３５４および３５６をそれぞれの手（例えば手３５８）に保持でき、選択的に使用者の親指をミシン目３５２の周りに置くことができる（例えば図８Ｃ参照）。使用者は、次いで例示的なプラスチック容器３５０の２つの端部３５４および３５６を曲げることができ、プラスチック容器を例示的なミシン目３５２で破壊させる。プラスチック容器３５０を壊すまたは折る他の適切な方法も用いられ得る。図８Ａは、壊れていない構成の例示的なプラスチック容器３５０を示し、図８Ｂは、壊れた構成の例示的なプラスチック容器３５０を示す。プラスチック容器３５０は、プラスチック容器を壊すことに可聴音で関連付けられてよい。これは、溶媒がプラスチックチューブに放出されたことの使用者への合図であり得る。対照的なパウチ１１４構造では、パウチを破裂させることと関連付けられる音は、聞こえないかもしれない。次に、長い細長いプラスチック容器をシールされたパッケージ構造１１２に配置し易い。その輪郭が明瞭で示された形状および触感（例えば堅い）のためである。さらに、２つの手でスナップ式動作を用いてプラスチック容器を壊し易い。
【００５３】
プラスチック容器は、ミシン目のない、均一な厚みの円筒形チューブ（例えば図９のプラスチックチューブ参照）であってもよく、プラスチックチューブ３５６の中の液体または溶媒は、端部キャップ３６０を通じてプラスチックチューブ３５７内に保持されてよい。端部キャップ３６０は、プラスチックチューブ３５６に取り外し可能に取り付けることができる。使用者が溶媒を利用しようとするとき、使用者は、端部キャップ３６０の片方または両方を取り除くことができ、溶媒をプラスチックチューブ３５６から取ることができる。加えて、図９のプラスチック容器３５６は、端部キャップ３６０を取り除くことに加えて、またはその代わりに、プラスチック容器３５６の破壊を容易にするためのミシン目３５２も有してよい。
【００５４】
図１０は、美容配置３６５を示し、それは例示的な媒体３６４（例えばマスク）を含むことができ、それはさまざまな美容活性成分の運搬手段の役割をすることができる。例示的な媒体３６４は、紙、綿織物、セルロースおよび／またはハイドロゲルなどの材料で作られてよく、それは、美容活性成分と溶媒溶液との混合物を吸収し、この混合物を人の皮膚に運ぶように、構成可能である。上記のように、美容活性成分および媒体３６４は、どちらもパッケージ構造３６２に含まれることができる。美容配置３６５は、例示的な溶媒溶液を保管するように構成可能であるプラスチック容器３５０をさらに含むことができる。プラスチック容器３５０は、折ることができるプラスチック容器（例えばプラスチック容器３５０）、および／または取り外し可能な端部を有することができるプラスチック容器３５１（例えばプラスチック容器３５６）であってよい。
【００５５】
図１１は、本開示の別の例示的実施形態による、さらなる破壊可能なプラスチック容器（例えばプラスチック容器３６６）を示す。プラスチック容器３５０は、２つのコンパートメント３７０および３７２を含んでよく、それぞれそれ自体の液体、溶媒および／または他の美容活性または非活性成分（例えば美容活性成分３６８および３７４を有する。例示的なコンパートメント３７０および３７２は、壁３７６によって分けられることができ、それは、美容成分をそのそれぞれのコンパートメントに保つことができる。壁３７６は、使用者による壁３７６への圧力が壁３７６を破壊するように、設計または弱化されてよく、美容活性成分３６８および３７４の混合を促進する。従って、美容成分３６８および３７４は、使用者が美容成分を使用するまで、各美容成分の有効性を失わないように、別々に保持できる。使用者が壁３７６を破壊して美容活性成分３６８および３７４が混ぜ合わせられた後、使用者は、混ぜ合わせられた活性成分のプラスチック容器３６６からの取り出しを容易にするように、上記のミシン目３５２と同様に、例示的な弱化領域またはミシン目３７８を用いてプラスチック容器３６６を破壊できる。従って、プラスチック容器３７８は、使用者が組み合わせられた活性成分を適用しようとするまで、２つ以上の美容成分を別々に保持できる、使用し易い、携帯型美容物質ホルダーである。
【００５６】
プラスチック容器３５０，３６７，３７８の例示的実施形態および例示的配置１１０が、美容活性成分を用いて本明細書に記載されたが、プラスチック容器３５０，３６７，３７８の例示的実施形態および例示的配置１１０は、美容活性成分に限定されず、配置は、他の種類の成分で使用できる。
【００５７】
前述は、開示の原理を示すにすぎない。当業者には、記載された実質的に対する様々な変更および修正が、本明細書の教示に照らして明らかである。当然のことながら、当業者は、多くのシステム、配置、および手順を考案でき、それは、本明細書に明確に示されていないが、本開示の原理を具体化でき、本開示の範囲および趣旨内であり得る。様々な異なる例示的実施形態を互いに合わせて用いることができ、当業者に理解されるように、その交換も同様である。加えて、明細書、図面、特許請求の範囲を含む本開示で使用されたある用語は、場合によっては同義に使用できる。さらに、先行技術は、上記で参照によって本明細書に明確に組み込まれない範囲で、その全体が参照によって本明細書に明確に組み込まれる。参照された全ての文献は、参照することによりその全体が本明細書に援用される。
【００５８】
例示的な保管配置の様々な部品は、任意の数の寸法を含んでよく、ここに提供されている図面は、本開示のある例示的実施形態のための寸法の例示的なセットを示す。例えば他の例示的実施形態の他の寸法も可能である。
【００５９】
本願の明細書で特に特定された任意のおよび全ての参照は、参照することによりその全体が本明細書に明示的に援用される。本明細書で使用された用語「約」および「ほぼ」は、対応する数および数の範囲の両方について言及すると通常理解されるべきである。さらに、本明細書の全ての数値範囲は、範囲内のそれぞれ全ての整数を含むと理解されるべきである。
【００６０】
【表１】
2020015556.tif 000003
【００６１】
ビタミンＣ粉末を溶解させる実験
１．１２〜１５ｃｃの水でビタミンＣ粉末を完全に溶解させるのに要する時間を決定する。結果は、以下の表に示されている。通常、１％〜１５％ビタミンＣ粉末を水に完全に溶解させるのに４５〜１２０秒を要する。
【表２】
2020015556.tif 000004
【００６２】
２．コットンマスクによって吸収される溶液の量を決定する。
２ｂ．溶解ビタミンＣ溶液がコットンマスクによって均一に吸収されたかどうかを決定する。
１重量％ビタミンＣ溶液の保持率をテストするのに４．５”バッグが使用された。４回の試験がされ、フェースマスクは、４分の１に折り畳まれ、バッグに入れられた。ビタミンＣのほぼ１５０ｍｇがバッグに流入され、次に１２０ｍＬの水が続く。バッグは、次いでシールされて４５秒間振られた。このフェースマスクは、バッグから取り出され、ビタミンＣおよび水の量を加えたブランクマスクと比較検討され、保持率を決定する。追加的に、ビタミンＣの分布は、マスクにｐＨインジケーターを吹き付けることによって調べられ、マスクのブランク部分があったかどうかを確かめる。
以下の表は、ビタミンＣ溶液の９５％異常がマスクに吸収されたことを示す。これは、十分な保持があることを示す。
【表３】
2020015556.tif 000005
【図１】
2020015556.tif 000006
【図２Ａ】
2020015556.tif 000007
【図２Ｂ】
2020015556.tif 000008
【図２Ｃ】
2020015556.tif 000009
【図３】
2020015556.tif 000010
【図４】
2020015556.tif 000011
【図５】
2020015556.tif 000012
【図６】
2020015556.tif 000013
【図７】
2020015556.tif 000014
【図８Ａ】
2020015556.tif 000015
【図８Ｂ】
2020015556.tif 000016
【図８Ｃ】
2020015556.tif 000017
【図９】
2020015556.tif 000018
【図１０】
2020015556.tif 000019
【図１１】
2020015556.tif 000020
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
器具であって、第１構造を備え、第１構造は、
少なくとも１つの第１成分を含んでいる第２剛構造と、
少なくとも１つの第２成分と、
少なくとも１つの第１成分と少なくとも１つの第２成分との混合物を吸収するように構成された媒体と、を含み、
第２剛構造が開くことまたは壊れることにより、少なくとも１つの第１成分と少なくとも１つの第２成分とが、互いに接触し、
少なくとも１つの第１成分または少なくとも１つの第２成分のうちの１つは、美容活性成分であり、
第１構造は、インジケーター構造を含み、インジケーター構造は、少なくとも１つの第１成分と少なくとも１つの第２成分とが互いに接触したかどうかを示すように構成されており、
インジケーター構造の少なくとも一部は、第１構造の外部から見える、器具。
【請求項２】
請求項１の器具であって、少なくとも１つの第１成分は、美容活性成分であり、少なくとも１つの第２成分は、溶媒溶液である、器具。
【請求項３】
請求項１の器具であって、少なくとも１つの第１成分は、溶媒溶液であり、少なくとも１つの第２成分は、美容活性成分である、器具。
【請求項４】
請求項１の器具であって、第２剛構造は、少なくとも１つの弱化部を含む、器具。
【請求項５】
請求項４の器具であって、第２剛構造は、少なくとも１つの弱化部で壊れるように構成されている、器具。
【請求項６】
請求項１の器具であって、媒体は、皮膚に適用されるように構成されているマスクを含む、器具。
【請求項７】
請求項１の器具であって、媒体は、顔に適用されるように構成されているフェースマスクを含む、器具。
【請求項８】
請求項１の器具であって、少なくとも１つの第１成分は、抗酸化物質を含む、器具。
【請求項９】
請求項１の器具であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、器具。
【請求項１０】
請求項１の器具であって、少なくとも１つの第２成分は、水溶液であり、少なくとも１つの第１成分は、水溶性である、器具。
【請求項１１】
請求項１の配置であって、少なくとも１つの第２成分は、脂質溶液であり、少なくとも１つの第１成分は、脂溶性である、器具。
【請求項１２】
器具であって、剛構造と、壁と、を備え、
剛構造は、少なくとも１つの第１成分を保つように構成されている第１コンパートメントと、少なくとも１つの第２成分を保つように構成されている第２コンパートメントと、を有し、
壁は、第１コンパートメントを第２コンパートメントから分け、壁に加えられる第１の量の圧力を加えることにより、壊れるように構成され、
第１コンパートメントまたは第２コンパートメントの少なくとも１つは、弱化部を含み、弱化部は、弱化部に加えられる第２の量の圧力を加えることにより、壊れるように構成され、
壁が壊れることにより、少なくとも１つの第１成分と少なくとも１つの第２成分とが、互いに混ざり、
弱化部が壊れることにより、少なくとも１つの第１成分と少なくとも１つの第２成分との混合物が、外部から利用できる、器具。
【請求項１３】
器具であって、
少なくとも１つの美容活性成分を含んでいる第１構造と、
溶媒溶液を含んでいる第２構造と、
溶媒溶液を少なくとも１つの美容活性成分から分ける少なくとも１つの第３構造と、
少なくとも１つの美容活性成分と溶媒溶液との混合物を吸収するように構成されている媒体と、
少なくとも１つの美容活性成分と溶媒溶液とが互いに接触したかどうかを示すように構成されているインジケーター構造と、を備え、
配置の少なくとも一部に特定量の圧力を加えることにより、少なくとも１つの美容活性成分と溶媒溶液とが、互いに接触する、器具。
【請求項１４】
請求項１３の器具であって、第１構造と、第２構造と、第３構造と、は、単一の一体構造を形成し、第３構造は、第１構造と第２構造の間に設けられる、器具。
【請求項１５】
請求項１４の器具であって、第１構造または第２構造の少なくとも１つに加えられる圧力は、少なくとも１つの第３構造を破れさせ、少なくとも１つの美容活性成分を溶媒溶液にさらし、少なくとも１つの美容活性成分を溶媒溶液と混ぜるようになっている、器具。
【請求項１６】
請求項１３の器具であって、
第２構造は、第１構造内に含まれており、
第２構造は、少なくとも１つの第３構造をさらに含み、第２構造に圧力を加えることにより、少なくとも１つの第３構造は、破れ、溶媒溶液を第２構造から放出させて第１構造の少なくとも１つの美容活性成分と接触させる、器具。
【請求項１７】
請求項１３の器具であって、第２構造に加えられる圧力の特定量は、ほぼ０．２ｌｂｓ．〜ほぼ１５ｌｂｓ．である、器具。
【請求項１８】
請求項１３の器具であって、媒体は、少なくとも１つの第３構造が破れた後に、少なくとも１つの美容活性成分と溶媒溶液との混合物を吸収するように構成されている、器具。
【請求項１９】
請求項１３の器具であって、第１構造は、インジケーター構造を含み、インジケーター構造の少なくとも一部は、第１構造の外部から見える、器具。
【請求項２０】
請求項１３の器具であって、媒体は、皮膚に適用されるように構成されているマスクを含む、器具。
【請求項２１】
請求項２０の器具であって、マスクはフェースマスクである、器具。
【請求項２２】
請求項１３の器具であって、インジケーター構造は、ｐＨ剤を含み、ｐＨ剤は、少なくとも１つの美容活性成分と溶媒溶液とに関連し、少なくとも１つの美容活性成分と溶媒溶液とが互いに接触するときに、ｐＨ剤が色を変えるように構成されている、器具。
【請求項２３】
請求項１３の器具であって、インジケーター構造は、毒性のない無害な薬剤を含み、薬剤は、少なくとも１つの美容活性成分と溶媒溶液との混合物にその接触によって反応するように構成され、少なくとも１つの美容活性成分と溶媒溶液とが混ぜられたという表示を生じさせる、器具。
【請求項２４】
請求項１３の器具であって、透明な窓領域を第１構造に備え、透明な窓領域は、第１構造の内部空間を外部から見やすくする、器具。
【請求項２５】
請求項１３の器具であって、第１構造は、ほぼ不透明であり、少なくとも１つの美容活性成分と溶媒溶液とに対する露光を防止または露光量を減少させる、器具。
【請求項２６】
請求項１３の器具であって、少なくとも１つの美容活性成分は、抗酸化物質を含む、器具。
【請求項２７】
請求項１３の器具であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、器具。
【請求項２８】
請求項１３の器具であって、
溶媒溶液は、水溶液であり、
少なくとも１つの美容活性成分は、水溶性である、
器具。
【請求項２９】
請求項１３の器具であって、
溶媒溶液は、脂質溶液であり、
少なくとも１つの美容活性成分は、脂溶性である、
器具。
【請求項３０】
使用者の皮膚に美容製品を適用する方法であって、
少なくとも１つの美容活性成分を含んでいる第１構造と、少なくとも１つの美容活性成分と溶媒溶液との混合物を吸収するように構成されている媒体と、
第１構造内に含まれ、溶媒溶液を含んでいる、第２構造と、
溶媒溶液を少なくとも１つの美容活性成分から分ける少なくとも１つの第３構造と、少なくとも１つの美容活性成分と溶媒溶液とが互いに接触したかどうかを示すように構成されているインジケーター構造と、
を有する配置を提供することと、
溶媒溶液を少なくとも１つの美容活性成分にさらすように、第２構造が少なくとも１つの第３構造を破れさせるように、第２構造の少なくとも一部に特定量の圧力を加えることと、
第１構造を開けることと、
媒体を第１構造から取り出すことと、
媒体を皮膚に適用することと、
を含む方法。
【請求項３１】
請求項３０の方法であって、第１構造を、それを開ける前に、振ることを、さらに含み、少なくとも１つの美容活性成分と溶媒溶液とを混ぜ、少なくとも１つの美容活性成分と溶媒溶液との混合物の媒体による吸収もたらす、方法。
【請求項３２】
請求項３０の方法であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、およびイソフラボン、を含む、方法。
【請求項３３】
請求項３０の方法であって、少なくとも１つの美容活性成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、方法。
【請求項３４】
請求項３０の方法であって、
溶媒溶液は、水溶液であり、
少なくとも１つの美容活性成分は、水溶性である、
方法。
【請求項３５】
請求項３０の方法であって、
溶媒溶液は、脂質溶液であり、
少なくとも１つの美容活性成分は、脂溶性である、
方法。
【請求項３６】
器具であって、
少なくとも１つの美容活性成分を含んでいる第１構造と、
溶媒溶液を含んでいる第２構造と、
少なくとも１つの美容活性成分と溶媒溶液との混合物を吸収するように構成されている媒体と、
少なくとも１つの美容活性成分と溶媒溶液とが互いに接触したかどうかを示すように構成されているインジケーター構造と、
を備え、
第１構造と第２構造とのそれぞれの少なくとも一部へ特定量の圧力を加えることにより、少なくとも１つの美容活性成分と溶媒溶液とが、互いに直接接触する、器具。
【請求項３７】
使用者の皮膚に美容製品を適用する方法であって、
少なくとも１つの第１成分を含んでいる第２剛構造と、
少なくとも１つの第２成分と、
少なくとも１つの第１成分と少なくとも１つの第２成分との混合物を吸収するように構成されている媒体と、を含んでいる第１構造を有する配置を提供することと、
少なくとも１つの第１成分と少なくとも１つの第２成分とが互いに接触するように、第２剛構造の少なくとも一部に特定量の圧力を加えることと、を含み、
少なくとも１つの第１成分または少なくとも１つの第２成分のうちの少なくとも１つは、美容活性成分であり、
第１構造は、インジケーター構造を含み、インジケーター構造は、少なくとも１つの第１成分と少なくとも１つの第２成分とが互いに接触したかどうかを示すように構成されており、
インジケーター構造の少なくとも一部は、第１構造の外部から見える、方法。
【請求項３８】
請求項３７の方法であって、第１構造を振ることをさらに含み、少なくとも１つの第１成分と少なくとも１つの第２成分とを混ぜ、少なくとも１つの第１成分と少なくとも１つの第２成分との混合物の媒体による吸収もたらす、方法。
【請求項３９】
請求項３８の方法であって、第１構造を開けることと、使用者の皮膚に適用することと、をさらに含む方法。
【請求項４０】
請求項３７の方法であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、およびイソフラボンを含む、方法。
【請求項４１】
請求項３７の方法であって、少なくとも１つの第１成分は、ビタミンＥ、ビタミンＣ、ビタミンＡ、セレン、シリマリン、ポリフェノール、ポリポディウム・レウコトモス、緑茶ポリフェノール、コエンザイムＱ１０、レスベラトロール、グルタチオン、フラボノイド、ペプチド、レチノール、サーチュイン、セラミド、カフェイン、アルファリポ酸、サリチル酸、グリコール酸、アルファヒドロキシ酸、ヒアルロン酸、アルブチン、甘草抽出物、コウジ酸、フェルラ酸、ナイアシンアミド、クルクミノイド、またはイソフラボン、の少なくとも１つである、方法。
【請求項４２】
請求項３７の方法であって、
少なくとも１つの第２成分は、水溶液であり、
少なくとも１つの第１成分は、水溶性である、
方法。
【請求項４３】
請求項３７の方法であって、
少なくとも１つの第２成分は、脂質溶液であり、
少なくとも１つの第１成分は、脂溶性である、
方法。
【請求項４４】
請求項３７の方法であって、
少なくとも１つの第１成分は、水溶液であり、
少なくとも１つの第２成分は、水溶性である、
方法。
【請求項４５】
請求項３７の方法であって、
少なくとも１つの第１成分は、脂質溶液であり、
少なくとも１つの第２成分は、脂溶性である、
方法。
【請求項４６】
器具であって、第１構造を備え、第１構造は、
少なくとも１つの第１成分を含んでいる第２剛構造と、
少なくとも１つの第２成分と、
少なくとも１つの第１成分と少なくとも１つの第２成分との混合物を吸収するように構成された媒体と、を含み、
第２剛構造が開くことまたは壊れることにより、少なくとも１つの第１成分と少なくとも１つの第２成分とが、互いに接触し、
少なくとも１つの第１成分または少なくとも１つの第２成分のうちの１つは、美容活性成分であり、
美容活性成分は、液体以外の形態である、器具。
【外国語明細書】
2020015556000001.pdf